(57)【要約】【課題】アシスタントハンガー部とスピットン部を連動して回動させる。【解決手段】アシスタントハンガー部及びスピットン部をアームを介して回動自在に構成すると共に、アシスタントハンガー部とスピットン部の回動をギア機構にて連動させる。ギア機構は、アイドルギア19を中心にアシスタントハンガー部11側のギア17とスピットン部7側のギア14を歯合させ、ギア14,17,19の歯合により連動させる。【選択図】図1
2006116219.tif 000002
【特許請求の範囲】
【請求項１】
インスツルメントハンガー及びテーブルが設けられたテーブル部と、うがい用のコップ、給水管及びスピットンが設けられたスピットン部と、バキュームチップや排唾管を掛止するハンガーが設けられたアシスタントハンガー部と、患者用椅子とを備えた歯科診療装置において、前記アシスタントハンガー部及び前記スピットン部をアームを介して回動自在に構成すると共に、該アシスタントハンガー部とスピットン部の回動を連動させる連動手段を備えたことを特徴とするアシスタント用ハンガー及びうがい用スピットンの移動機構。
【請求項２】
前記連動手段がギア機構であることを特徴とする請求項１記載のアシスタント用ハンガー及びうがい用スピットンの移動機構。
【請求項３】
前記連動手段がリンク機構であることを特徴とする請求項１記載のアシスタント用ハンガー及びうがい用スピットンの移動機構。
【請求項４】
前記連動手段がベルト機構であることを特徴とする請求項１記載のアシスタント用ハンガー及びうがい用スピットンの移動機構。
【請求項５】
前記連動手段が回転角度を制御するモータ駆動機構であることを特徴とする請求項１記載のアシスタント用ハンガー及びうがい用スピットンの移動機構。
【請求項６】
前記アシスタントハンガー部及び/又はスピットン部に回動を阻止するロック手段を設けたことを特徴とする請求項１記載のアシスタント用ハンガー及びうがい用スピットンの移動機構。
【発明の詳細な説明】
【技術分野】
【０００１】
本発明は、アシスタント用ハンガー及びうがい用スピットンを患者の導入時や診療時における都合のよい位置に移動する移動機構に関する。
【背景技術】
【０００２】
従来、歯科においては、アシスタントハンガー部とスピットン部のそれぞれを別々に操作し、作業のしやすい適切な位置に移動してカウンセリングや診療をしていた。なおアシスタントハンガー部とスピットン部は移動させなくても診療やカウンセリングは可能であるが、移動しない場合は、図3に示す歯科診療装置の配置にてカウンセリングを行うために患者用椅子1を反時計まわりに回転すると、スピットン6が患者に対してうがいしにくい位置となり、更に患者が手を伸ばせばアシスタントハンガー部11に手が届いてしまうために危険であると共に、患者に恐怖心を生じさせる恐れがある。
また、アシスタントハンガー部やスピットン部を移動する方式の他の例として、特許文献１及び特許文献２に示される発明が公知である。
【０００３】
特許文献１の発明は、患者用椅子の側方に配置され、スピットンが備えられた給排水ボックスを前後方向に移動可能に構成して、患者が椅子に乗降する際に給水ボックスが邪魔にならない位置に移動することができるようにしたものである。従ってスピットン部は給排水ボックスの移動によって適切な位置に移動され、アシスタントハンガー部はスピットン部とは別の操作で適切な位置に移動される構成である。
【０００４】
特許文献２の発明は、患者用椅子の側方にスピットン部を回動自在に配置し、うがい時にスピットン部を回動して患者の前方に移動することにより、患者は体を捻らなくてもうがいができるものである。なおアシスタントハンガー部はスピットン部とは別の位置に配置され、スピットン部とアシスタントハンガー部は別々に操作して適切な位置に移動する構成である。
【０００５】
以上により、前記従来の歯科診療装置に配置されたアシスタントハンガー部とスピットン部のそれぞれは、別々に操作してカウンセリング時や診療時の都合のよい位置に移動しなければならないという問題がある。
【特許文献１】特開平９−１２２１５７号公報
【特許文献２】特開２００２−２８２２８３号公報
【発明の開示】
【発明が解決しようとする課題】
【０００６】
解決しょうとする問題点は、アシスタントハンガー部とスピットン部を移動する際に、アシスタントハンガー部とスピットン部のそれぞれを別々に操作しなければならない点である。
【課題を解決するための手段】
【０００７】
本発明は、アシスタントハンガー部とスピットン部のそれぞれを別々に操作して適切な位置に移動する煩わしさを排除するために前記両者を連動操作することを主要な特徴とする。
【発明の効果】
【０００８】
本発明のアシスタント用ハンガー及びうがい用スピットンの移動機構は、アシスタントハンガー部とスピットン部の移動を連動操作することによって、アシスタントハンガー部とスピットン部のそれぞれを別々に操作する煩雑さを解消し、手間が省けるという利点がある。
【発明を実施するための最良の形態】
【０００９】
アシスタントハンガー部とスピットン部の移動を個々に操作する煩雑さを解消する目的を、アシスタントハンガー部とスピットン部とを連動操作する連動手段により実現した。
【実施例１】
【００１０】
本実施例の歯科用診療装置は、図1に示すように、中央に患者用椅子1が配置され、患者用椅子の後方から見て左側にユニット本体2が配置され、右側に治療用インスツルメント等を載置するドクターテーブル3が備えられて床上を図示しないキャスターを介して移
動自在に構成されたドクターカート4が配置されている。なお、歯科診療装置の左側方及
び前方にはL形の仕切り壁5が配置されている。
そして前記ユニット本体2には、うがい用のスピットン6及び図示しないコップや給水管が設けられたスピットン部7と、バキュームチップ8や排唾管9を掛止するアシスタン
トハンガー10が設けられたアシスタントハンガー部11が備えられている。
【００１１】
以下、各実施例にて連動手段の構成を説明する。なお各実施例の図中において共通する構成部分には共通の符号を付して重複する説明を省略する。
【実施例２】
【００１２】
図1から図3は本発明の実施例1に係り、図1はアシスタントハンガー及びスピットンをギア機構にて連動する歯科診療装置の患者導入位置を示す図、図2はカウンセリング時の位置を示す図、図3は治療時の位置を示す図である。
【００１３】
本実施例は、アシスタントハンガー部11とスピットン部7の連動手段として、図1に示すようにギア機構Gを前記両者間に設けたものである。ギア機構Gの構成は、スピットン6がアーム12の一端に固定され、アーム12の他端にギア14が固定され、ギア14はユニット本体2側に軸支された回転軸15の上端に固定されて回転軸15を中心に水平回動可能となっている。一方、アシスタントハンガー10は延長アーム16の先端に固定され、延長アーム16の基端部側を延長自在に支えるアーム13の他端にギア17が固定され、ギア17はユニット本体側に軸支された回転軸18に固定されて、回転軸18を中心に水平回動可能となっている。そしてギア14とギア17はアイドルギア19を中心に互いが歯合することにより、アシスタントハンガー部11とスピットン部7が連動回動可能となっている。
【００１４】
なお、ギア14,17,19の何れかをリフトアップすることが可能となっている。リフトアップすることによりギアの回転がフリーになるので、例えばアイドルギア19をリフトアップしてフリーな状態にして歯合位置を変更し、再度歯合させることによりアシスタントハンガー部11とスピットン部7との相対的位置を自由に変更することができる。
これによりアシスタントハンガー部11を最適位置に移動することでスピットン部7を患者に対して最適位置に移動させることができる。また回転軸15,18には図示しないロック手段が設けられており、スピットン6やアシスタントハンガー10の位置が作業中にずれないようにロックすることができる。
【００１５】
上記構成の歯科診療装置を用いて患者を導入する際は、図1に示す患者導入待機位置として患者用椅子1をY方向に向け、患者用椅子1の左側アームレスト20の近傍にスピットン6を位置させる。これによりスピットン6の正面とアームレスト20との間隔が約80mmとなる。一方、アシスタントハンガー10は、中心線a上にて患者用椅子1の左後方に位置させる。
【００１６】
この状態で患者を導入し着座させた後は、カウンセリングを行うために図2に示すように患者用椅子1を反時計周りに90°回転してＸ方向に向ける。これにより患者はスピットン6の正面に対向する。一方、アシスタントハンガー10は中心線a上で患者の手が届かない位置となる。この状態でアシスタントは患者の側方乃至後方からカウンセリングやブラッシング等の指導を行う。この時、アシスタントハンガー部11とスピットン部7は連動状態になっているので安全のために回転軸15及び/又は18をロック手段にてロックしておくことにより、作業中にアシスタントハンガー10やスピットン6の位置がずれないようにすることができる。
【００１７】
カウンセリング終了後は図3に示すように、患者用椅子1を時計回りに90°回転してY方向に向け、治療を開始する。
治療に際しては、アシスタントはアシスタントハンガー部11を任意の治療位置まで引き出す。例えばアシスタントハンガー10を中心線aから45°の角度に引き出す。これによりスピットン部7はアシスタントハンガー部の移動に連動して軌道ｒ上を回動し、治療時における患者用椅子1の左斜め前方に移動する。この時、移動したスピットン6と患者用椅子1のアームレストとの間隔は約80mmに保たれる。なおスピットン6は中心線bを中心に前後15°、即ち30°の範囲にて移動可能であるので、この範囲の任意の位置に調整することができる。
【００１８】
治療終了後、アシスタントはアシスタントハンガー部11を患者導入待機位置である中心線aの位置に戻す。これによりスピットン部7が連動して元の位置に戻り、患者の退出に支障のない位置となって、患者が退出する。
【実施例３】
【００１９】
図4から図8は本発明の実施例２に係り、図4はアシスタントハンガー及びスピットンをリンク機構にて連動する歯科診療装置の患者導入位置を示す図、図5はカウンセリング時の位置を示す図、図6は治療時の位置を示す図、図7はリンク機構の構成を示す図、図8はリンク機構をキャビネットに収納する例の構成を示す図である。
本実施例は、前記実施例1における連動手段であるギア機構に替えてリンク機構にしたものである。
【００２０】
リンク機構Lは図7に示すようにリンク21の一端にスピットン6が固定され、長手方向の略中央にユニット本体2側に軸支された回転軸15の上端に固定され、他端がリンク22の一端に回動可能に連結されている。一方、L形のリンク23の一端には延長アーム16が延長自在に設けられ、その先端にアシスタントハンガー10が固定されている。リンク23の略中央にはユニット本体2側に軸支された回転軸18の上端が固定され、他端が前記リンク22の他端に回動可能に連結されている。
【００２１】
また、リンク21,23はリンク22との連結部に長穴25a,26aが設けられ、長穴25a及び/又は26aを介してピン25,26の位置を移動することによりアシスタントハンガー部11とスピットン部7との相対的位置を変更することができる。これによりアシスタントハンガー部11を最適位置に移動することでスピットン部7を患者に対して最適位置に移動させることができる。
更に回転軸15,18の下端部には回転を阻止してアシスタントハンガー部11及びスピットン部7の位置を固定するロック手段24a,24bが設けられている。
【００２２】
また、リンク機構はその他の例として、図8に示すようにアシスタントハンガー部11側をキャビネット内に収納し、扉28a の開閉に連動してキャビネット28の内外に移動する構成にすることができる。この場合の構成は、リンク27a,27bをリンク支持台29を介してキャビネット28の内側に蝶着し、リンク27cをリンク支持台30を介して扉28aの内側に蝶着することにより実現することができる。なお図中の符号31は扉28aを開閉する蝶番を示す。
【００２３】
上記構成の歯科診療装置を用いて患者を導入する際は、図4に示すように患者導入待機位置として患者用椅子1をY方向に向け、患者用椅子1の左側アームレスト20の近傍にスピットン6を位置させる。これによりスピットン6の正面とアームレスト20との間隔が約80mmとなる。一方、アシスタントハンガー10は、中心線a上にて患者用椅子1の左後方に位置させる。
【００２４】
この状態で患者を導入し着座させた後は、カウンセリングを行うために図5に示すように患者用椅子1を反時計周りに90°回転してＸ方向に向ける。これにより患者はスピットン6の正面に対向する。一方、アシスタントハンガー10は中心線a上で患者の手が届かない位置となる。この状態でアシスタントは患者の側方乃至後方からカウンセリングやブラッシング等の指導を行う。この時、アシスタントハンガー部11とスピットン部7は連動状態になっているので安全のために図7に示す回転軸15及び/又は18をロック手段24a及び/又は24bにてロックし、作業中にアシスタントハンガー10やスピットン6の位置がずれないようにしておく。
【００２５】
カウンセリング終了後は、図6に示すように患者用椅子1を時計回りに90°回転してY方向に向け、治療を開始する。
治療に際しては、アシスタントはアシスタントハンガー部11を任意の治療位置まで引き出す。例えばアシスタントハンガー10を中心線aから45°の角度に引き出す。これによりスピットン部7はアシスタントハンガー部の移動に連動して軌道ｒ上を回動し、治療時における患者用椅子1の左斜め前方に移動する。移動したスピットン6と患者用椅子1のアームレストとの間隔が約80mmに保たれる。なおスピットン6は中心線bを中心に前後15°、即ち30°の範囲にて移動可能であるので、この範囲の任意の位置に調整することができる。
【００２６】
治療終了後、アシスタントはアシスタントハンガー部11を患者導入待機位置である中心線a上に戻す。これによりスピットン部7が連動して元の位置に戻り、患者の退出に支障のない位置となって、患者が退出する。
【実施例４】
【００２７】
図9は本発明の実施例３に係り、アシスタントハンガー及びスピットンを連動するベルト機構の構成図である。
図9に示すようにベルト機構Bは、アーム32の一端にスピットン6が固定され、他端にユニット本体側に軸支された回転軸15の上端に固定され、回転軸15の同心上にプーリ33が固定されている。一方、アーム35に一端には延長アーム16が延長自在に設けられその先端にアシスタントハンガー10が固定され、アーム35の他端がユニット本体2側に軸支された回転軸18の上端に固定され、回転軸18の同心上にプーリ36が固定されている。そしてプーリ33とプーリ36との間がベルト37にて連結されることにより、アシスタントハンガー部11とスピットン部7が連動回動可能となっている。
【００２８】
また、アシスタントハンガー部11とスピットン部7との相対的位置はベルト37を適宜にスリップさせることにより変更することができる。これによりアシスタントハンガー部11を最適位置に移動することでスピットン部7を患者に対して最適位置に移動させることができる。
なお、ベルト37は図に示した平ベルトに限らず、例えばスリップのないタイミングベルトなどを使用してもよい。
【実施例５】
【００２９】
本実施例は、前記実施例1における連動手段であるギア機構に替えて、アシスタントハンガー部11側の回動角度を角度検出装置にて検出し、この検出値に基づいた指令にてスピットン部7側をステッピングモータの駆動にて所定の角度まで回動させることにより、アシスタントハンガー部11側とスピットン部7側とを連動回動させるモータ駆動機構である。
【００３０】
更に、アシスタントハンガー部11側及びスピットン部7側に自動ロック手段を設け、アシスタントハンガー部11の回動に連動してスピットン部が所定の角度まで回動したことを検出して、アシスタントハンガー部11及びスピットン部7を自動ロックする。これにより移動位置が固定され位置のずれを防止することができる。
また、角度検出装置の検出値に基づく指令を変更することによりアシスタントハンガー部11とスピットン部7と相対的位置を変更することができる。
以上の構成によりアシスタントハンガー部11を最適位置に移動することでスピットン部7を患者に対して最適位置に移動させることができる。
【図面の簡単な説明】
【００３１】
【図１】実施例１に係るアシスタントハンガー及びスピットンをギア機構にて連動する歯科診療装置の患者導入位置を示す図である。
【図２】カウンセリング時の位置を示す図である。
【図３】治療時の位置を示す図である。
【図４】実施例２に係るアシスタントハンガー及びスピットンをリンク機構にて連動する歯科診療装置の患者導入位置を示す図である。
【図５】カウンセリング時の位置を示す図である。
【図６】治療時の位置を示す図である
【図７】リンク機構の構成を示す図である。
【図８】リンク機構をキャビネットに収納する例の構成を示す図である。
【図９】実施例３に係るアシスタントハンガー及びスピットンを連動するベルト機構の構成図である。
【符号の説明】
【００３２】
1  患者用椅子
2  ユニット本体
3  ドクターテーブル
4  ドクターカート
5  仕切り壁
6  スピットン
7  スピットン部
8  バキュームチップ
9  排唾管
10  アシスタントハンガー
11  アシスタントハンガー部
12,13,32,35  アーム
14  ギア
15,18  回転軸
16  延長アーム
19  アイドルギア
20   アームレスト
21,22,23,27  リンク
24  ロック手段
25.26  ピン
28  キャビネット
29,30  リンク支持台
31  蝶番
,33.36  プーリ
37  ベルト
【図１】
2006116219.tif 000003
【図２】
2006116219.tif 000004
【図３】
2006116219.tif 000005
【図４】
2006116219.tif 000006
【図５】
2006116219.tif 000007
【図６】
2006116219.tif 000008
【図７】
2006116219.tif 000009
【図８】
2006116219.tif 000010
【図９】
2006116219.tif 000011